(57)【要約】      （修正有）【課題】少なくとも１つのタブ部材によって少なくとも１つの結合機構の内腔内に保定された縁部を含む装飾カバーアセンブリを備える椅子構成要素アセンブリを提供するものである。【解決手段】支持構成要素が、外周縁部を有するシェル部材を含み、内腔と、シェル部材の外周縁部に面する開口とを有する結合機構を含み開口に実質的に近接して位置されたタブ部材を含み、椅子構成要素アセンブリが支持構成要素の少なくとも一部の周りに覆い被される。【選択図】図４
2018118111.tif 000002
【特許請求の範囲】
【請求項１】
中心開口を画定する実質的に剛性の周縁フレームと、
前記周縁フレームに結合され、前記中心開口の少なくとも一部に及ぶ実質的に可撓性の背もたれシェルとを備える椅子背もたれアセンブリであって、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルの第４の部分が、前記第３の位置と前記第２の位置との間に位置された第４の位置で、前記フレームに対する制約を受けない
椅子背もたれアセンブリ。
【請求項２】
前記背もたれシェルの前記第１の部分が、前記背もたれシェルの上縁部に実質的に近接して位置される請求項１に記載の椅子背もたれアセンブリ。
【請求項３】
前記背もたれシェルの前記第２の部分が、前記背もたれシェルの下縁部に実質的に近接して位置される請求項１または２に記載の椅子背もたれアセンブリ。
【請求項４】
前記背もたれシェルの前記第４の位置が、着座した使用者の腰部領域を支持するように適合される請求項１から３のいずれか一項に記載の椅子背もたれアセンブリ。
【請求項５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記フレームの幅にわたって延在する横方向軸の周りで前記スロット内で枢動可能である請求項１から４のいずれか一項に記載の椅子背もたれアセンブリ。
【請求項６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５に記載の椅子背もたれアセンブリ。
【請求項７】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項５または６に記載の椅子背もたれアセンブリ。
【請求項８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項５から７のいずれか一項に記載の椅子背もたれアセンブリ。
【請求項９】
前記フック部材が、前記背もたれシェルと一体である請求項５から８のいずれか一項に記載の椅子背もたれアセンブリ。
【請求項１０】
前記第３の位置での前記少なくとも１つの運動方向が、前記フレームに対する前方向を含む請求項１から９のいずれか一項に記載の椅子背もたれアセンブリ。
【請求項１１】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口を画定する実質的に剛性の周縁フレームと、
前記周縁フレームに結合され、前記中心開口の少なくとも一部に及ぶ実質的に可撓性の背もたれシェルとを備え、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルの第３の部分が、前記第１の位置と前記第２の位置との間に位置された第３の位置で、少なくとも１つの運動方向で前記フレームに対して制約され、前記背もたれシェルが、前記第３の位置と前記第２の位置との間に位置された第４の位置で、前記フレームに対する制約を受けない
椅子アセンブリ。
【請求項１２】
前記背もたれシェルの前記第１の部分が、前記背もたれシェルの上縁部に実質的に近接して位置される請求項１１に記載の椅子アセンブリ。
【請求項１３】
前記背もたれシェルの前記第２の部分が、前記背もたれシェルの下縁部に実質的に近接して位置される請求項１１または１２に記載の椅子アセンブリ。
【請求項１４】
前記背もたれシェルの前記第４の位置が、着座した使用者の腰部領域を支持するように適合される請求項１５に記載の椅子アセンブリ。
【請求項１５】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１１から１４のいずれか一項に記載の椅子アセンブリ。
【請求項１６】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５に記載の椅子アセンブリ。
【請求項１７】
前記フレームと前記背もたれシェルとの少なくとも一方がフック部材を含み、前記フレームと前記背もたれシェルとの前記少なくとも一方の他方が、前記フック部材を受け取るスロットを含み、それにより、前記フックが、前記スロット内で横方向に変位可能であり、前記背もたれシェルが、前記フック部材を通って延在する垂直軸の周りで枢動可能である請求項１５または１６に記載の椅子アセンブリ。
【請求項１８】
前記フック部材と前記スロットとが、前記第３の位置での前記フレームに対する前記背もたれシェルの縁部の横方向変位を、前記第４の位置での前記フレームに対する前記背もたれシェルの前記縁部の横方向変位よりも小さくなるように制限するように協働する請求項１５から１７のいずれか一項に記載の椅子アセンブリ。
【請求項１９】
前記フック部材が、前記背もたれシェルと一体である請求項１５から１８のいずれか一項に記載の椅子アセンブリ。
【請求項２０】
前記第３の位置での前記少なくとも１つの運動方向が、前記フレームに対する前方向を含む請求項１１から１９のいずれか一項に記載の椅子アセンブリ。
【請求項２１】
前記背もたれシェルの前記第４の位置に当接し、着座した使用者の腰部領域を支持するように適合された腰部支持アセンブリ
をさらに備える請求項１１から２０のいずれか一項に記載の椅子アセンブリ。
【請求項２２】
着座した使用者の一部を支持するように適合された支持構成要素を備える椅子構成要素アセンブリであって、前記支持構成要素が、外周縁部を有するシェル部材を含み、内腔と、前記シェル部材の前記外周縁部に面する開口とを有する少なくとも１つの結合機構をさらに含み、前記少なくとも１つの結合機構の前記開口に実質的に近接して位置された少なくとも１つのタブ部材をさらに含み、
椅子構成要素アセンブリがさらに、前記支持構成要素の少なくとも一部の周りに覆い被され、前記少なくとも１つのタブ部材によって前記少なくとも１つの結合機構の前記内腔内に保定された縁部を含む装飾カバーアセンブリ
を備える椅子構成要素アセンブリ。
【請求項２３】
前記装飾カバーアセンブリが、可撓性のカバー部分と、前記カバー部分よりも実質的に可撓性が小さく、前記カバー部分の縁部に取り付けられた框部材とを含み、前記框部材が、前記少なくとも１つのタブによって前記少なくとも１つの結合機構の前記内腔内に保定される請求項２２に記載の椅子構成要素アセンブリ。
【請求項２４】
前記少なくとも１つの結合機構が、前記シェル部材と一体である請求項２２または２３に記載の椅子構成要素アセンブリ。
【請求項２５】
前記少なくとも１つのタブが、前記シェル部材と一体である請求項２２から２４のいずれか一項に記載の椅子構成要素アセンブリ。
【請求項２６】
前記少なくとも１つのタブが可撓弾性である請求項２２から２５のいずれか一項に記載の椅子構成要素アセンブリ。
【請求項２７】
前記少なくとも１つの結合機構および前記少なくとも１つのタブが、前記シェル部材の周縁の周りに離隔配置された複数の結合機構およびタブを含む請求項２２から２６のいずれか一項に記載の椅子構成要素アセンブリ。
【請求項２８】
前記少なくとも１つの結合機構が、Ｃ字形の断面形状を含む請求項２２から２７のいずれか一項に記載の椅子構成要素アセンブリ。
【請求項２９】
前記椅子構成要素が、椅子背もたれアセンブリを備える請求項２２から２８のいずれか一項に記載の椅子構成要素アセンブリ。
【請求項３０】
着座した使用者の一部を支持するように適合された支持構成要素を備える椅子構成要素アセンブリであって、前記支持構成要素が、チャネルと、前記チャネル内部に位置された少なくとも１つの固定具とを有するシェル部材を含み、
椅子構成要素アセンブリがさらに、前記支持構成要素の少なくとも一部の周りに覆い被され、引き紐トンネル内部に位置された引き紐を含む装飾カバーアセンブリを備え、前記引き紐が、前記支持構成要素の周りに前記装飾カバーアセンブリを引き寄せるように適合され、前記引き紐と前記引き紐トンネルの少なくとも一方が、前記少なくとも１つの結合機構によって前記チャネル内に保定される
椅子構成要素アセンブリ。
【請求項３１】
前記引き紐と前記引き紐トンネルがそれぞれ、前記少なくとも１つの結合機構によって前記チャネル内に保定される請求項３０に記載の椅子構成要素アセンブリ。
【請求項３２】
前記チャネルと前記少なくとも１つの結合機構が、前記シェル部材とそれぞれ一体である請求項３０または３１に記載の椅子構成要素アセンブリ。
【請求項３３】
前記少なくとも１つの結合機構が、間に前記引き紐および前記引き紐トンネルを固定する複数の協働する歯を含む請求項３１または３２に記載の椅子構成要素アセンブリ。
【請求項３４】
前記椅子構成要素が、椅子座部支持体を備える請求項３１から３３のいずれか一項に記載の椅子構成要素アセンブリ。
【請求項３５】
前記チャネルが、下向きに開いている請求項３１から３４のいずれか一項に記載の椅子構成要素アセンブリ。
【請求項３６】
前記チャネルと前記少なくとも１つの結合機構が、前記シェル部材とそれぞれ一体である請求項３１から３５のいずれか一項に記載の椅子構成要素アセンブリ。
【請求項３７】
前記引き紐が、少なくとも１つの自由端を含み、前記引き紐の前記自由端が、前記背もたれシェルにあるアパーチャに係合する固定具によって、前記シェル部材に固定され、それにより、前記引き紐の前記少なくとも１つの自由端の少なくとも一部を前記アパーチャ内に固定する請求項３０から３６のいずれか一項に記載の椅子構成要素アセンブリ。
【請求項３８】
前記固定具が、ばねクリップを含む請求項３７に記載の椅子構成要素アセンブリ。
【請求項３９】
前記固定具が、Ｕ字形の断面形状を備える請求項３７または３８に記載の椅子構成要素アセンブリ。
【請求項４０】
前記アパーチャが、前記チャネルを備える請求項３０から３９のいずれか一項に記載の椅子構成要素アセンブリ。
【請求項４１】
着座した使用者の一部を支持するように適合され、アパーチャを有するシェル部材を含む支持構成要素と、
前記支持構成要素の少なくとも一部の周りに覆い被され、引き紐トンネル内部に位置された引き紐を含む装飾カバーアセンブリとを備える椅子構成要素アセンブリであって、前記引き紐が、前記支持構成要素の周りに前記装飾カバーアセンブリを引き寄せるように適合され、前記引き紐が、少なくとも１つの自由端を含み、
椅子構成要素アセンブリがさらに、前記シェル部材の前記アパーチャに係合し、前記引き紐の前記少なくとも１つの自由端の少なくとも一部を前記アパーチャ内に固定する少なくとも１つの固定具
を備える椅子構成要素アセンブリ。
【請求項４２】
前記シェルの前記アパーチャが、チャネルを備える請求項４１に記載の椅子構成要素アセンブリ。
【請求項４３】
前記少なくとも１つの固定具が、ばねクリップを含む請求項４１または４２に記載の椅子構成要素アセンブリ。
【請求項４４】
前記少なくとも１つの固定具が、Ｕ字形の断面形状を備える請求項４１から４３のいずれか一項に記載の椅子構成要素アセンブリ。
【請求項４５】
前記少なくとも１つの固定具が、１対のばねクリップを含む請求項４１から４４のいずれか一項に記載の椅子構成要素アセンブリ。
【請求項４６】
前記１対のばねクリップが、前記引き紐の前記少なくとも１つの自由端のうちのただ１つの自由端を固定する請求項４５に記載の椅子構成要素。
【請求項４７】
前記引き紐の前記少なくとも１つの自由端が、１対の自由端を含み、前記少なくとも１つのばねクリップが、前記１対の自由端を固定するただ１つのばねクリップを含む請求項４３から４６のいずれか一項に記載の椅子構成要素。
【請求項４８】
前記シェル部材がチャネルを含み、前記チャネルが、前記チャネル内に位置された少なくとも１つの結合機構を有し、前記引き紐と前記引き紐トンネルの少なくとも一方が、前記少なくとも１つの結合機構によって前記チャネル内に保定される請求項４１に記載の椅子構成要素。
【請求項４９】
前記引き紐と前記引き紐トンネルがそれぞれ、前記少なくとも１つの結合機構によって前記チャネル内に保定される請求項４８に記載の椅子構成要素アセンブリ。
【請求項５０】
前記チャネルと前記少なくとも１つの結合機構が、前記シェル部材とそれぞれ一体である請求項４８または４９に記載の椅子構成要素アセンブリ。
【請求項５１】
前記少なくとも１つの結合機構が、間に前記引き紐および前記引き紐トンネルを固定する複数の協働する歯を含む請求項４８から５０のいずれか一項に記載の椅子構成要素アセンブリ。
【請求項５２】
前記椅子構成要素が、椅子座部支持体を備える請求項４１から５２のいずれか一項に記載の椅子構成要素アセンブリ。
【請求項５３】
床面に接触するように適合された支持アセンブリと、
前記支持アセンブリに動作可能に結合され、着座した使用者を前記支持アセンブリ上で支持するように適合された座部アセンブリと、
椅子背もたれアセンブリとを備える椅子アセンブリであって、前記椅子背もたれアセンブリが、
中心開口、および前記中心開口の少なくとも一部の周りに延在する凹部を画定する実質的に剛性の周縁フレームと、前記周縁フレームに結合され、前記中心開口の少なくとも一部に及ぶ実質的に可撓性の背もたれシェルとを備え、前記背もたれシェルの第１の部分が、第１の位置で前記フレームに対して固定され、前記背もたれシェルの第２の部分が、前記第１の位置とは異なる第２の位置で前記フレームに対して固定され、前記背もたれシェルが、前記第１の位置と前記第２の位置との間に位置された第３の位置で、前記フレームに対する制約を受けず、前記背もたれシェルが、前記フレームの前記凹部内に位置決めされる
椅子アセンブリ。
【請求項５４】
前記背もたれシェルが、前記第１の位置と前記第２の位置との間に位置された第４の位置で少なくとも１つの運動方向で前記フレームに対して制約される請求項５３に記載の椅子アセンブリ。
【請求項５５】
前記背もたれシェルの前記第１の部分が、前記背もたれシェルの上部に近接して位置され、前記背もたれシェルの前記第２の部分が、前記背もたれシェルの底部に近接して位置される請求項５３または５４に記載の椅子アセンブリ。
【請求項５６】
前記凹部が、前記中心開口の全周にわたって延びる請求項５３から５５のいずれか一項に記載の椅子アセンブリ。
【請求項５７】
椅子背もたれアセンブリが直立位置とリクライニング位置との間で移動可能であり、前記背もたれアセンブリが前記直立位置と前記リクライニング位置との間で移動されるときに、前記背もたれシェルの前記第３の位置が前記フレームに対して移動する請求項５３から５６のいずれか一項に記載の椅子アセンブリ。
【発明の詳細な説明】
【技術分野】
【０００１】
本発明は、椅子構成、特に、４つの別個の区域に沿って異なる大きさの可撓性を提供する背もたれアセンブリ、ならびに装飾カバーによってそれぞれ覆われた背もたれアセンブリおよび座部アセンブリを備える事務用椅子構成に関する。
【発明の概要】
【０００２】
本発明の一態様は、中心開口を画定する実質的に剛性の周縁フレームと、周縁フレームに結合され、中心開口の少なくとも一部に及ぶ実質的に可撓性の背もたれシェルとを備える椅子背もたれアセンブリであって、背もたれシェルの第１の部分が、第１の位置でフレームに対して固定され、背もたれシェルの第２の部分が、第１の位置とは異なる第２の位置でフレームに対して固定され、背もたれシェルの第３の部分が、第１の位置と第２の位置との間に位置された第３の位置で、少なくとも１つの運動方向でフレームに対して制約され、背もたれシェルの第４の部分が、第３の位置と第２の位置との間に位置された第４の位置で、フレームに対する制約を受けない椅子背もたれアセンブリを提供するものである。
【０００３】
本発明の別の態様は、床面に接触するように適合された支持アセンブリと、支持アセンブリに動作可能に結合され、着座した使用者を支持アセンブリ上で支持するように適合された座部アセンブリと、椅子背もたれアセンブリとを備える椅子アセンブリであって、椅子背もたれアセンブリが、中心開口を画定する実質的に剛性の周縁フレームと、実質的に可撓性の背もたれシェルとを備える椅子アセンブリを提供するものである。椅子背もたれアセンブリの背もたれシェルは、周縁フレームに結合され、中心開口の少なくとも一部に及び、背もたれシェルの第１の部分が、第１の位置でフレームに対して固定され、背もたれシェルの第２の部分が、第１の位置とは異なる第２の位置でフレームに対して固定され、背もたれシェルの第３の部分が、第１の位置と第２の位置との間に位置された第３の位置で、少なくとも１つの運動方向でフレームに対して制約され、背もたれシェルの第４の部分が、第３の位置と第２の位置との間に位置された第４の位置で、フレームに対する制約を受けない。
【０００４】
本発明のさらに別の態様は、着座した使用者の一部を支持するように適合された支持構成要素を備える椅子構成要素アセンブリであって、支持構成要素が、外周縁部を有するシェル部材を含み、内腔と、シェル部材の外周縁部に面する開口とを有する少なくとも１つの結合機構をさらに含み、少なくとも１つの結合機構の開口に実質的に近接して位置された少なくとも１つのタブ部材をさらに含み、椅子構成要素アセンブリがさらに、支持構成要素の少なくとも一部の周りに覆い被され、少なくとも１つのタブ部材によって少なくとも１つの結合機構の内腔内に保定された縁部を含む装飾カバーアセンブリを備える椅子構成要素アセンブリを提供するものである。
【０００５】
本発明のさらに別の態様は、着座した使用者の一部を支持するように適合された支持構成要素を備える椅子アセンブリであって、支持構成要素が、チャネルと、チャネル内部に位置された少なくとも１つの固定具とを有するシェル部材を含み、椅子アセンブリがさらに、支持構成要素の少なくとも一部の周りに覆い被され、引き紐トンネル内部に位置された引き紐を含む装飾カバーアセンブリを備え、引き紐が、支持構成要素の周りに装飾カバーアセンブリを引き寄せるように適合され、引き紐と引き紐トンネルの少なくとも一方が、少なくとも１つの結合機構によってチャネル内に保定される椅子アセンブリを提供するものである。
【０００６】
本発明の別の態様は、着座した使用者の一部を支持するように適合され、アパーチャを有するシェル部材を含む支持構成要素と、支持構成要素の少なくとも一部の周りに覆い被され、引き紐トンネル内部に位置された引き紐を含む装飾カバーアセンブリとを備える椅子構成要素アセンブリであって、引き紐が、支持構成要素の周りに装飾カバーアセンブリを引き寄せるように適合され、引き紐が、少なくとも１つの自由端を含み、椅子構成要素アセンブリがさらに、シェル部材のアパーチャに係合し、引き紐の少なくとも１つの自由端の少なくとも一部をアパーチャ内に固定する少なくとも１つの固定具を備える椅子構成要素アセンブリを提供するものである。
【０００７】
本発明のさらに別の態様は、床面に接触するように適合された支持アセンブリと、支持アセンブリに動作可能に結合され、着座した使用者を支持アセンブリ上で支持するように適合された座部アセンブリと、椅子背もたれアセンブリとを備える椅子アセンブリを提供するものである。椅子背もたれアセンブリは、中心開口、および中心開口の少なくとも一部の周りに延在する凹部を画定する実質的に剛性の周縁フレームと、周縁フレームに結合され、中心開口の少なくとも一部に及ぶ実質的に可撓性の背もたれシェルとを備え、背もたれシェルの第１の部分が、第１の位置でフレームに対して固定され、背もたれシェルの第２の部分が、第１の位置とは異なる第２の位置でフレームに対して固定され、背もたれシェルが、第１の位置と第２の位置との間に位置された第３の位置で、フレームに対する制約を受けず、背もたれシェルが、フレームの凹部内に位置決めされる。
【０００８】
本発明のこれらおよび他の特徴および利点は、以下の明細書、特許請求の範囲、および添付図面を参照すれば、当業者にはさらに理解され把握されよう。
【図面の簡単な説明】
【０００９】
【図１】本発明を具現化する椅子アセンブリの正面斜視図である。
【図２】椅子アセンブリの背面斜視図である。
【図３】直立位置およびリクライニング位置での背もたれアセンブリおよび座部アセンブリ、ならびに後退位置および伸張位置での座部アセンブリを示す椅子アセンブリの側面図である。
【図４】制御アセンブリおよび座部アセンブリの分解上面斜視図である。
【図５】制御アセンブリおよび座部アセンブリの分解底面斜視図である。
【図６】図４の領域ＶＩの拡大斜視図である。
【図７Ａ】座部アセンブリの断面正面図である。
【図７Ｂ】座部アセンブリの代替実施形態の断面正面図である。
【図８Ａ】座部アセンブリの底面図である。
【図８Ｂ】座部アセンブリの代替実施形態の部分底面図である。
【図８Ｃ】座部アセンブリの別の代替実施形態の部分底面図である。
【図９Ａ】クリップの斜視図である。
【図９Ｂ】分解された構成でのクリップおよび座部アセンブリの斜視図である。
【図９Ｃ】組み立てられた構成でのクリップおよび座部アセンブリの斜視図である。
【図１０】背もたれアセンブリの分解正面斜視図である。
【図１１Ａ】背もたれアセンブリの分解背面斜視図である。
【図１１Ｂ】背もたれアセンブリの代替実施形態の分解背面斜視図である。
【図１１Ｃ】背もたれアセンブリの代替実施形態の断面図である。
【図１１Ｄ】図１１Ｂの領域ＸＩＤの拡大図である。
【図１２】背もたれアセンブリの正面斜視図である。
【図１３Ａ】図１２のＸＩＩＩＡ−ＸＩＩＩＡ線にわたる側断面図である。
【図１３Ｂ】図１２のＸＩＩＩＢ−ＸＩＩＩＢ線にわたる側断面図である。
【図１３Ｃ】背もたれアセンブリの代替実施形態の側断面図である。
【図１４】図１２のＸＩＶ−ＸＩＶ線にわたる側断面図である。
【図１５】図１１Ａの領域ＸＶの拡大斜視図である。
【図１６】腰部アセンブリの分解正面斜視図である。
【図１７】腰部アセンブリの側断面図である。
【図１８Ａ】腰部アセンブリと背もたれフレームアセンブリとの係合の拡大斜視図である。
【図１８Ｂ】ハンドルアセンブリと、腰部アセンブリのハウジングとの拡大斜視断面図である。
【図１８Ｃ】ハンドルアセンブリおよびハウジングの分解斜視図である。
【図１９】背もたれアセンブリの代替実施形態の分解斜視図である。
【図２０】図１９の背もたれアセンブリの代替実施形態の構造強化部材の分解斜視図である。
【図２１】図１９の背もたれアセンブリの代替実施形態の頂部の断面図である。
【図２２】制御アセンブリの斜視図である。
【図２３】座部シェルおよびラック部材の底面斜視図である。
【図２４】肘掛けの側面斜視図である。
【図２５】肘掛けの分解図である。
【図２６】肘掛けの分解側面斜視図である。
【図２７】移動止めを含むポストの第１の垂直面を示す、ポストの斜視図である。
【図２８】係止部材の正面斜視図である。
【図２９】図２８の係止部材の背面斜視図である。
【図３０】ポストおよび係止部材の部分図である。
【図３１】ポスト、係止部材、およびアクチュエータロッドの部分図である。
【図３２】係止位置での肘掛けの断面図である。
【図３２Ａ】図３２における円で囲んだ領域ＸＸＩＸＡの拡大部分図である。
【図３３】係止解除位置で示される図３２での肘掛けの断面図である。
【図３３Ａ】図３３における円で囲んだ領域ＸＸＸＡの拡大部分図である。
【図３４】係止解除位置で示される図３２での肘掛けの断面図である。
【図３４Ａ】図３４における円で囲んだ領域ＸＸＸＩＡの拡大概略図である。
【図３５】係止位置で示される図３２での肘掛けの断面図である。
【図３５Ａ】図３５における円で囲んだ領域ＸＸＸＩＩＡの拡大概略図である。
【図３６】椅子アセンブリの斜視図である。
【図３７】図３６に示される椅子アセンブリの正面図である。
【図３８】図３６に示される椅子アセンブリの第１の側面図である。
【図３９】図３６に示される椅子アセンブリの第２の側面図である。
【図４０】図３６に示される椅子アセンブリの背面図である。
【図４１】図３６に示される椅子アセンブリの上面図である。
【図４２】図３６に示される椅子アセンブリの底面図である。
【図４３】椅子の背もたれアセンブリの上隅の斜視図である。
【図４４】図４３に示される背もたれアセンブリの上隅の正面図である。
【図４５】図４３に示される背もたれアセンブリの上隅の側面図である。
【図４６】図４３に示される背もたれアセンブリの上隅の背面図である。
【図４７】図４３に示される背もたれアセンブリの上隅の上面図である。
【図４８】椅子アセンブリの腰部アセンブリのハンドル装置の斜視図である。
【図４９】図４８に示されるハンドル装置の側面図である。
【図５０】図４８に示されるハンドル装置の背面図である。
【図５１】図４８に示されるハンドル装置の上面図である。
【図５２】ハンドル装置の底面図である。
【発明を実施するための形態】
【００１０】
本明細書における説明の便宜上、用語「上側」、「下側」、「右側」、「左側」、「後側」、「前側」、「垂直」、「水平」、およびそれらの派生語は、図１における向きでの本発明に関する。しかし、特に明記されない限り、本発明が様々な代替の向きを取ることができることを理解されたい。また、添付図面に図示し、以下の明細書で説明する特定のデバイスおよびプロセスは、添付の特許請求の範囲で定義される本発明の概念の単なる例示的実施形態であることも理解されたい。したがって、本明細書に開示される実施形態に関係する特定の寸法および他の特徴は、特許請求の範囲に特に明記されない限り、限定とはみなすべきでない。本明細書に開示される実施形態の様々な要素は、互いに動作可能に結合されていると言い表すことができ、これは、互いに直接的にまたは間接的に結合された要素を含む。
【００１１】
参照番号１０（図１及び図２）が、本発明を具現化する椅子アセンブリの全体を表す。図示される例では、椅子アセンブリ１０は、床面１３に当接し、床面１３によって支持されるキャスタ付き底部アセンブリ１２と、キャスタ付き底部アセンブリ１２によって支持される制御または支持アセンブリ１４と、それぞれ制御アセンブリ１４に動作可能に結合された座部アセンブリ１６および背もたれアセンブリ１８と、１対のアームアセンブリ２０とを含む。座部アセンブリ１６（図３）および背もたれアセンブリ１８は、制御アセンブリ１４に動作可能に結合され、背もたれアセンブリ１８は、完全直立位置Ａと完全リクライニング位置Ｂの間で移動可能であり、さらに、座部アセンブリ１６は、それぞれ背もたれアセンブリ１８の完全直立位置Ａと完全リクライニング位置Ｂに対応する完全直立位置Ｃと完全リクライニング位置Ｄの間で移動可能である。
【００１２】
底部アセンブリ１２は、複数のペデスタルアーム２１を含み、複数のペデスタルアーム２１は、半径方向に延在し、中空中心支柱２２の周りに離隔配置され、中空中心支柱２２は、床面１３からの制御アセンブリ１４、座部アセンブリ１６、および背もたれアセンブリ１８の全体の垂直高さを調節するための空気圧シリンダを中に収容する。各ペデスタルアーム２１は、関連のキャスタアセンブリ２４によって床面１３の上に支持される。底部アセンブリ１２が複数アームペデスタルアセンブリを含むものとして例示されているが、限定はせずに、固定された支柱、複数脚部構成、車両座席支持アセンブリなどを含めた他の適切な支持構造を使用することもできることに留意されたい。
【００１３】
座部アセンブリ１６（図４および図５）は、前縁部３２、後縁部３４、および前縁部３２と後縁部３４の間に延在する１対の側縁部３６を有する座部シェル部材３０を含み、ここで、前縁部３２、後縁部３４、および側縁部３６が合わさって、座部シェル部材３０の外周縁を形成する。図示される例では、座部シェル部材３０は、一体成形されたプラスチック製の単体部材を備えるが、他の適切な構造および材料を利用することもできる。座部シェル部材３０は、下向きに開いたチャネル３８をさらに含み、チャネル３８は、Ｃ字形の断面形状を有し、座部シェル３０の周縁の周りに延在する。複数の結合機構４０（図６）が、座部シェル３０と一体であり、チャネル３８内に位置され、チャネル３８に沿って離隔配置される。各結合機構４０は、下向きに角度を付けられた当接面４４をそれぞれ有する１対のリブ４２を含む。各結合機構４０は、１対のリブ４２と離間配置された可撓弾性係合歯４６をさらに含む。座部アセンブリ１６は、前縁部５０、後縁部５２、およびそれらの間に延在する１対の側縁部５４を有する発泡材クッション部材４８をさらに含み、ここで、少なくとも、クッション部材４８の前縁部５０と側縁部５４が合わさって、座部シェル部材３０の一部を中に受け取る下向きに開いたポケット５６を形成する。座部アセンブリ１６は、装飾カバーアセンブリ５８をさらに含む。図示される例では、カバーアセンブリ５８は、カバー６０を含み、カバー６０は、伸縮性の生地を備え、上部６２と、上部６２の周りに延在する複数の側部６４とを含み、上部６２と側部６４が合わさって、座部シェル３０とクッション部材４８とのアセンブリを中に受け取る内部空間６６を画定する。カバーアセンブリ５８は、引き紐トンネル６８をさらに含み、引き紐トンネル６８は、側部６４の周縁部の周りに延在し、引き紐７０を中に受け取り、引き紐７０は、引き紐トンネル６８から延在する１対の自由端７２を含む。
【００１４】
組立て時、座部シェル３０（図７Ａ）とクッション部材４８とが、装飾カバーアセンブリ５８の内部空間６６内に位置されて、引き紐トンネル６８（図８Ａ）および引き紐７０がチャネル３８内に位置され、また引き紐トンネル６８および引き紐７０がリブ４２に当たって歯４６によって係合され、それにより引き紐トンネル６８および引き紐７０をチャネル３８内に固定する。
【００１５】
図８Ａに最も良く示されるように、引き紐７０の自由端７２は、固定具またはクリップ部材８０（図９Ａ）によって座部シェル３０に固定される。図示される例では、クリップ部材８０は、長さに沿って離隔配置された係合歯８４を有するＵ字形のばね本体８２と、Ｕ字形のばね本体８２の側面から外方向に延在する１対のフランジ８６とを有するばねクリップである。組立て時、クリップ８０（図８Ｂおよび図８Ｃ）は、引き紐７０のそれぞれの自由端７２に垂直方向で位置合わせされ、次いで、座部シェル３０のチャネル３８の一部に挿入され、それにより、引き紐７０の自由端７２をチャネル３８内に保持する。代替として、クリップ部材８０（図８Ａ）は、座部シェル部材３０内部の個別のアパーチャ８８に係合することができ、それにより、引き紐７０の自由端７２の少なくとも一部をアパーチャ８８内に固定する。代替として、複数のクリップ部材８０（図８Ｂ）を使用して、引き紐７０の自由端７２の１つをチャネル３８内に固定することもできる。図８Ｃに最も良く示されるように、別の代替実施形態は、ただ１つのクリップ８０による引き紐７０の２つの自由端７２の固定を含む。
【００１６】
参照符号１６ａ（図７Ｂ）は、座部アセンブリの別の実施形態の全体を表す。座部アセンブリ１６ａは前述した座部アセンブリ１６と同様であるので、それぞれ図７Ｂと図７Ａに現れる同様の部分は同一の対応する参照符号によって表されるが、図７Ｂの参照符号には添字「ａ」が付される。図示される例では、座部アセンブリ１６ａは、装飾カバーアセンブリ５８ａの内部空間６６ａ内に位置された座部シェル３０ａおよびクッション部材４８ａを含み、したがって、框または突出部７３ａがチャネル３８ａ内に位置され、それによりカバーアセンブリ５８ａを座部シェル３０ａに固定する。例示されるように、弾性変形可能な突出部７３ａは、Ｊ字形の断面形状を有し、フック部分７５ａを含み、フック部分７５ａは、チャネル３８ａ内への突出部７３ａの挿入時に歯４６にスナップ式に係合する。カバー６０ａは、好ましくは突出部７３ａに縫い合わされるが、他の適切な接続法も利用することができる。
【００１７】
背もたれアセンブリ１８（図１０および図１１）は、実質的に剛性の周縁フレーム９０を含み、フレーム９０は、横方向に延在する上部９２と、横方向に延在する底部９４と、垂直方向に延在する１対の側部９６とを含み、上部９２と、底部９４と、側部９６とが合わさって、中心開口９８を形成する。背もたれアセンブリ１８は、腰部支持アセンブリ１００をさらに含み、腰部支持アセンブリ１００は、着座した使用者の腰部領域を支持するように適合され、周縁フレーム９０の各側部９６に沿って垂直方向に延在するスロット１０２内に受け取られる。１対の側部延在部材１０４が、側部９６のポケット１０６に沿って垂直方向に延在し、ポケット１０６内に受け取られ、複数の機械的な固定具１０７によってそこに固定される。
【００１８】
背もたれアセンブリ１８は、上部１１０、底部１１２、および１対の側部１１４を含む実質的に可撓性の背もたれシェル１０８をさらに含み、上部１１０、底部１１２、１対の側部１１４は、以下に述べるように、それぞれ周縁フレーム９０の上部９２、底部９４、および側部９６と位置が合っている。背もたれシェル１０８は、垂直方向で離隔配置された複数の横木１１６をさらに含み、横木１１６は、側部１１４の間に延在し、それらの間に複数のスロット１１８を画定する。組立て時、背もたれシェル１０８（図１２）は、背もたれシェル１０８に関する異なる可撓性を有する垂直に離隔された区域または領域を画定するように周縁フレーム９０に取り付けられる。特に、背もたれシェル１０８の上部領域１２０と底部領域１２２が、周縁フレーム９０に対して固定され、背もたれシェル１０８の第３の領域１２４が、周縁フレーム９０に対して前方向への動きを制約され、背もたれシェル１０８の第４の領域１２６が、周縁フレーム９０から前方向へ自由に離れることができるように、背もたれシェル１０８が周縁フレーム９０に取り付けられる。背もたれシェル１０８の撓んだ状態が破線で図示されている。より具体的には、図１３Ａおよび図１３Ｂに最も良く示されるように、周縁フレーム９０の上部９２は、上部９２と一体に、上部９２を横切って離隔配置された複数の上方向に延在するフック１３０を含み、背もたれシェル１０８の上部１１０は、上部１１０と一体の複数の下方向に延在する可撓弾性ループ１３２を含み、フック１３０は、ループ１３２に係合し、それにより係合中にループ１３２を方向１３３に撓ませ、背もたれシェル１０８の上部１１０を周縁フレーム９０の上部９２に固着する。図１２に最も良く示されるように、背もたれシェル１０８は、側部１１４と底部１１２の交点に位置された１対の一体タブ部材１３４を含み、タブ部材１３４は、ボルト１３６など機械的な固定具によって周縁フレーム９０に固定され、それにより背もたれシェル１０８の底部１１２を周縁フレーム９０の底部９４に固着する。図１４に最も良く示されるように、背もたれシェル１０８の第３の領域は、後方向および下方向に延在するフック１４０を含み、フック１４０は、背もたれシェル１０８の長さに沿って位置され、背もたれシェル１０８の側部１１４と一体である。各フック１４０は、側部延在部材１０４と側部９６との間に形成されたポケット１４２内に受け取られ、それにより、背もたれシェル１０８は、対応するフック１４０を通って垂直に延びる１対の軸１４４の周りで枢動可能である。また、第３の領域１２４内に位置されたポケット１４２は、ポケット１４２内でフック１４０が方向１４６へ横方向変位できるようにサイズ設定されて、背もたれシェル１０８の側部１１４が周縁フレーム９０の側部９６に対して内方向に撓むことを可能にし、それにより、後方向１４８での周縁フレーム９０に対する背もたれシェル１０８の可撓性およびコンプライアンスの増加を可能にする。第４の領域１２６内に位置された背もたれシェル１０８の側部１１４は、周縁フレーム９０の側部９６に固定されず、それにより、横方向１４６と後方向１４８との両方で、周縁フレーム９０に対する背もたれシェル１０８の最大のコンプライアンスおよび可撓性を実現にする。その結果、背もたれシェル１０８の第１の領域１２０および第２の領域１２２は、周縁フレーム９０に対する移動を制約され、第３の領域１２４は、フレーム９０に対する背もたれシェル１０８の限られたコンプライアンスを可能にし、第４の領域１２６は、フレーム９０に対する背もたれシェル１０８の最大の撓みを可能にする。
【００１９】
参照符号１８ｂ（図１１Ｂ）は、背もたれアセンブリの別の実施形態の全体を表す。背もたれアセンブリ１８ｂは前述した背もたれアセンブリ１８と同様であるので、それぞれ図１１Ｂと図１１Ａに現れる同様の部分は同一の対応する参照符号によって表されるが、図１１Ｂの参照符号には添字「ｂ」が付される。図示される例では、装飾カバーアセンブリ１５０ｂは、引き紐１６０ｂと、複数の框または突出部１５１ｂとを含み、框または突出部１５１ｂは、カバーアセンブリ１５０ｂの側部１５４ｂに取り付けられ、側部１５４ｂに沿って延在する。図１１Ｃに最も良く示されるように、各突出部１５１ｂは、Ｊ字形の断面形状を有し、ステッチ１５３ｂによってカバーアセンブリ１５０ｂに固定され、さらにフック部分１５５ｂを含み、フック部分１５５ｂは、背もたれシェル１０８ｂの結合機構１６２ｂの歯１６８ｂに係合する。引き紐１６０ｂは、引き紐トンネル１５８ｂ内に位置され、引き紐トンネル１５８ｂは、ステッチ１５７ｂによって関連の側部１５４ｂに固定され、突出部１５１ｂが背もたれシェル１０８ｂに固定された後に背もたれシェル１０８ｂの周りに引き寄せられる。引き紐１６０ｂの自由端１６３ｂは、フェルール１６５ｂによって互いに固定される。図示される例では、引き紐１６０ｂは、比較的圧縮性が低く、シングルストランドポリプロピレン材料から構成されるが、ナイロンおよびマルチストランド構成などの材料を利用することもできる。
【００２０】
背もたれアセンブリ１８は、前部１５２と複数の側部１５４を有する背もたれ装飾カバーアセンブリ１５０をさらに含み、前部１５２と複数の側部１５４が合わさって、背もたれシェル１０８を中に受け取る内部空間１５６を形成する。装飾アセンブリ１５０は、伸縮性の生地材料から構成され、引き紐トンネル１５８を含み、引き紐トンネル１５８は、側部１５４の内周縁の周りに延在し、引き紐１６０を中に収容する。図１３Ａに最も良く示されるように、装飾アセンブリ１５０は、背もたれシェル１０８の一部を受け取る。代替として、装飾アセンブリ１５０’（図１３Ｃ）は、背もたれシェル１０８’と、発泡材クッション部材１５５’と、生地内層１５７’との一部の周りに延在し、生地内層１５７’は、クッション部材１５５’を背もたれシェル１０８’から離す。
【００２１】
図１３Ａおよび図１５に最も良く示されるように、背もたれシェル１０８は、背もたれシェル１０８の周縁の周りに離隔配置された複数の結合機構１６２を含む。図示される例では、各結合機構１６２は、１対の外方向に延在するフィンガ１６４を含み、フィンガ１６４は、背もたれシェル１０８の外周縁１６６に面する開口を画定するように形成される。複数の可撓弾性歯１６８が、結合機構１６２のフィンガ１６４と互いに噛み合わされる。組立て時、装飾アセンブリ１５０が背もたれシェル１０８の縁部の周りに覆い被さって、引き紐トンネル１５８および引き紐１６０が結合機構１６２内に受け取られて歯１６８によって係合され、それにより引き紐トンネル１５８および引き紐１６０を関連の結合機構１６２内で保定する。
【００２２】
腰部アセンブリ１００（図１０、図１１Ａ、および図１６）は、横方向に延在する装飾プレート２０２と、１対の横方向に延在する板ばね２０３と、１対の摺動接続アセンブリ２０４と、１対の調節ハンドル２０５とを収容するボディシェル２００を含み、ハンドル２０５は、下降位置Ｅ（図２）と上昇位置Ｆとの間で腰部アセンブリ１００を移動させるために使用者が把持できるように構成される。成形されたボディシェル２００は、前部２０６と後部２０８を含み、それらは弓形であり、互いに背中合わせに振動可能に溶接されてポケット２１０（図１７）を形成し、ポケット２１０は、装飾プレート２０２を中に受け取る。代替として、ねじなどの機械的な固定具、留め金、超音波溶接、接着剤を含めた、前部２０６と後部２０８を結合する他の方法を利用することもできる。板ばね２０３は、ボディシェル２００の長さに沿って延在し、それぞれのポケット２１２内に位置され、ポケット２１２は、ポケット２１０にわたって互いに並置される。板ばね２０３は、着座した使用者の背中側の腰部領域によって及ぼされる後方への力に対する前方偏倚力を提供するように適合される。摺動接続アセンブリ２０４が、腰部アセンブリ１００の端部に取り付けられ、周縁フレーム９０のそれぞれの側部９６と側部延在部材１０４との間に形成された細長いレリーフ２１８（図１８Ａ）内に摺動可能に受け取られ、それにより、腰部アセンブリ１００は、下降位置Ｅと上昇位置Ｆとの間で垂直方向に移動可能である。特に、ボディシェル２００は、１対の垂直方向に延在するリブ２１９を含み、リブ２１９は、フレーム９０に対して腰部アセンブリ１００の中心を合わせるように、それぞれの側部延在部材１０４に沿って案内される。周縁フレーム９０の相対幅は、垂直方向で調節されるときに腰部アセンブリ１００が進む経路に沿って変化し、それにより、摺動接続アセンブリ２０４とボディシェル２００との摺動接続を必要とすることに留意されたい。図１８Ｂに最も良く示されるように、ボディシェル２００の前部２０６の各端部は、１対の対応するスロット２２２内に摺動可能に受け取られる１対の樽形頭部のタブ２２０を含み、スロット２２２は、接続アセンブリ２０４とボディシェル２００との摺動調節を可能にすると共に、ボディシェル２００が接続アセンブリ２０４から外れるのを防止する。組立て時、図１２Ａおよび図１８Ｃに最も良く示されるように、各ハンドル２０５は、羽根部分２０７を含み、羽根部分２０７は、接続アセンブリ２０４の対応するポケット２０９内に摺動可能に受け取られ、羽根部分２０７のアパーチャ２１３に係合する可撓弾性タブ２１１によってポケット２０９内に保持され、それにより腰部アセンブリ１００をスロット１０２内に摺動可能に固定する。各接続アセンブリ２０４は、歯止め部材２１９を有する可撓弾性バー２１７をさらに含み、歯止め部材２１９は、フレーム９０の側部１０２に沿って垂直方向に離隔配置された複数の移動止め２２１（図１０）に選択的に係合し、それにより、選択された垂直位置でフレーム９０に対して腰部アセンブリ１００を保持する。
【００２３】
図３に最も良く示されるように、座部アセンブリ１６は、後退位置Ｇと伸張位置Ｈとの間で移動可能であり、それにより椅子アセンブリ１０に関する奥行き調節機能を提供する。座部アセンブリ１６（図４および図５）は、制御アセンブリ１４上に摺動可能に支持される。制御アセンブリ１４（図２２）は、制御アセンブリ１４全体の両側に配設された支持プレート２５１、２５２を含む。制御アセンブリ１４は、アクチュエータバー２５３をさらに含み、アクチュエータバー２５３は、概してＵ字形であり、座部アセンブリ１６の前部の下に配設されて使用者によって把持されるように適合されたハンドル部分２５４と、ハンドル部分２５４から後方に延在する１対のアーム部分２５５とを含む。アクチュエータバー２５３を作動させると、ハンドル部分２５４は、方向２５６へ上方向に上昇され、アクチュエータバー２５３は、座部シェル３０内で枢支点２５７で枢動し、枢支点２５７は、アーム部分２５５の遠位端２５８を、対応するロック部材２６０に係合するように方向２５９へ下方向に移動させ、ロック部材２６０は、枢動軸２６１の周りで座部シェル３０に枢動可能に接続される。アクチュエータバー２５３の作動は、係合位置から係合解除位置にロック部材２６０を移動させ、それにより、後退位置Ｇと伸張位置Ｈとの間での座部アセンブリ１６の移動を可能にする。特に、ロック部材２６０は、対応するラック２６３の複数のレリーフ２６２に選択的に係合し、それにより座部アセンブリ１６を後退位置と伸張位置の間の位置で選択的に係止できるようにする。
【００２４】
図７Ａおよび図２３に示されるように、座部シェル３０の底面２６５は、座部シェル３０の前後方向に延在する、下向きに開いた一体型のリニアガイドベアリングチャネル２６６を含む。図２０に最も良く示されるように、支持プレート２５２は、１対の上方向に延在するガイド部分２７０を含み、ガイド部分２７０は、座部シェル３０のリニアベアリング２６６内で摺動可能に動き、それにより、支持プレート２５２および制御アセンブリ１４全体に対して座部シェル３０を直動させる。支持プレート２５２は、ベアリング部材２９１内に収容されたＬ字形のガイド部分２９０（図２２）を含み、ガイド部分２９０は、対応する内向きに開いたスロット２９２内に受け取られ、それにより、座部アセンブリが後退位置Ｇと伸張位置Ｈとの間で移動されるときに、支持プレート２５２のガイド部分２９０がスロット２９２内を案内される。
【００２５】
代替として、着脱可能なストップ部材２９３を、ストップ部材２９３が支持プレート２５１の一部２９５に当接するような位置で座部シェル３０の下側に固定することができ、それにより、伸張位置から後退位置への座部アセンブリ１６の進行量を制限し、座部アセンブリ１６が最後方位置に移動するのを防止する。図示される例では、ストップ部材２９３は、ねじ２９７によって座部シェル３０に固定され、それにより、設置および取外しのためのツールの使用を必要とする。
【００２６】
各肘掛けアセンブリ２０（図３、図２４、および図２５）は、上昇位置Ｉと下降位置Ｊとの間で垂直方向で調節可能であり、椅子１０への取付けのために構成された管状支持体３００と、管状支持体内に伸縮式に位置決めされた肘掛けアセンブリ３０２と、肘掛けアセンブリ内に摺動可能に受け取られた高さ調節メカニズム３０４とを含む。プレート３０６が肘掛けアセンブリ３０２の上部に取り付けられ、アームキャップ３０８がプレート３０６に取り付けられる。代替実施形態では、枢動／摺動部材３０９をプレートに取り付けることができ、アームキャップ３０８を枢動／摺動部材に取り付けることができる。枢動／摺動部材は、本願と同一の譲受人に譲渡された「ＡＤＪＵＳＴＡＢＬＥ  ＡＲＭＲＥＳＴ  ＦＯＲ  ＣＨＡＩＲＳ」という名称の１９９７年１２月３日出願の米国特許第５，９７１，４８４号に開示されるものと同様である。
【００２７】
図２５および図２６を参照すると、管状支持体３００は、固定側部支持構造に接続するように適合された水平の第１のアーム区域３１０と、垂直方向に延在する第２のアーム区域３１２とを有するＬ字形の構造部材を含む。第２のアーム区域３１２は、１つの垂直側部に沿って、肘掛けアセンブリ３０２を伸縮式に受け取るための上側開口３１４と、下側開口３１６と、固定アパーチャ３１９を含む溝３１８とを含む。肘掛けアセンブリ３０２が第２のアーム区域３１２内に挿入されるとき、スリーブ３２０の下部は、下側開口３１６を通って延在し、見えるようになる。肘掛けアセンブリが垂直方向で上方向に調節されるとき、スリーブはあまり見えなくなる。溝３１８および下側開口３１６は、第２のアーム区域３１２の両側にある。
【００２８】
肘掛けアセンブリ３０２は、管状支持体３００内に伸縮式に受け取られ、スリーブ３２０と、ポスト３２１とを含み、さらにベアリング３２２を含むこともある。スリーブ３２０は、第１の側面３２４と第２の側面３２６を含む。第１の側面３２４は、第１の側面の下端部の近くにアパーチャ３２８を含むことがある。第１の側面３２４の上部の近くに、開口３３０があり、開口３３０は、アクチュエータロッド３３４の動作部材３７０を受け取るように適合される。スリーブ３２０は、上部で広がって、肘掛け支持体３３６を提供する。スリーブ３２０の第２の側面３２６は、第２の側面の下端部に長方形アパーチャ３３８を含む。アパーチャ３３８の各側に、垂直リブ３４０と、垂直リブ３４０の１つに位置合わせされた第２の垂直リブ３４１とがあり、それにより、位置合わせされた協働するリブ３４０、３４１の実効の全長を増加し、好ましくは少なくとも３：１、好ましくは少なくとも１０：１の長さｌと幅ｗとの比を提供し、それにより、管状支持体３００内での肘掛けアセンブリ３０２の前後方向でのずれを減少させる。図２５および図２６を参照すると、ポスト３２１は長方形であり、その上端部にリップ３４２を有し、下端部にタブ３４４を有する。ポストは、第１の垂直面３４６と第２の垂直面３４８も含む。第１の垂直面３４６は、一連の位置的移動止め３５０と、固定アパーチャ３５２とを含む（図２７）。固定アパーチャ３５２は、ポスト３２１を通って第２の垂直面３４８まで完全に延在する。位置的移動止め３５０の各側に垂直溝３５４があり、溝３５４の一方が、ポスト３２１の底部を通って延在し、溝３５４は、スリーブ３２０にある垂直リブ３４０、３４１を対合可能に受け取って、管状支持体３００から肘掛けアセンブリ３０２が完全に外れるのを防止する。特に、図示される例では、溝３５４内のチャネルの１つが端壁３５６を含み、端壁３５６には、対応するリブ３４０が当接し、それにより、管状支持体３００からの肘掛けアセンブリ３０２の外れを防止する。残りの溝３５４は、第２の垂直リブ３４１の通過を可能にするために、ポスト３２１の端部を通って延在する。第２の垂直面３４８は、稜部３５８を含む。ベアリング３２２は、ベアリング表面を提供し、２つのカラー３６０を含み、カラー３６０は、それらの中点で垂直ストリップ３６２に接続される。図２５および図２６は、互いに対して角度を付けられたものとしてカラー３６０を示すが、代替実施形態では、カラーは互いに対して平行である。カラー３６０の端部３６４は、外方向に広がって、空間３６６を画定する。
【００２９】
ポスト３２１は、第２のアーム区域３１２の溝３１８内に対合可能に受け取られ、第２の垂直面３４８が第２のアーム区域３１２に当接する。固定手段が、固定アパーチャ３１９を通して固定アパーチャ３５２内に挿入されて、ポスト３２１を溝３１８内に固定する。代替として、ポスト３２１が、溝３１８内に固定された個別の部片ではなく、第２のアーム区域３１２内に成形されることが企図される。スリーブ３２０が第２のアーム区域３１２内に挿入されるとき、ポスト３２１の第１の垂直面３４６が、スリーブの第２の側面３２６に当接する。また、ポスト３２１の第１の垂直面３４６にある移動止め３５０が、スリーブ３２０の第２の側面３２６にあるアパーチャ３３８を覆う。スリーブ３２０の第２の側面３２６にある垂直リブ３４０、３４１は、ポスト３２１の垂直溝３５４と対合し、したがって、スリーブが垂直方向で調節されるとき、位置的移動止め３５０はアパーチャ３３８を覆って位置決めされたままである。ベアリング３２２がスリーブ３２０上に位置決めされ、垂直ストリップ３６２が、スリーブ３２０の第１の側面３２４に当接し、カラー３６０がスリーブ３２０の周りに覆い被さるようにする。ポスト３２１は、カラー端部３６４の間で空間３６６内に嵌まる。ベアリング３２２は、第２のアーム区域３１２内部で静止し、管状支持体内でのスリーブの水平移動を制限する働きをする。
【００３０】
高さ調節可能メカニズム３０４は、アクチュエータロッド３６８を備え、アクチュエータロッド３６８は、操作用部材３７０と、係止部材３７２と、ばね３７４とを含む。図示される例では、操作用部材３７０は、アクチュエータロッド３６８の上部に位置され、アクチュエータロッド３６８の細長い部分３７８に概して垂直である。図示されるように、操作用部材３７０はレバーであるが、ボタンまたはタブを使用することもできることが企図される。操作用部材３７０に、フランジ３８０が取り付けられる。フランジ３８０の反対側には、突起部３８４を有するレッジ３８２がある。高さ調節可能メカニズム３０４が肘掛けアセンブリ３０２と摺動可能に係合されるとき、アクチュエータロッド３６８がスリーブ３２０内部に位置決めされ、操作用部材３７０がアパーチャ３３０を通して位置決めされる。ばね３７４の一端は、突起部３８４に配置され、ばね３７４の他端は、プレート３０６の下側にある突起部３８６に配置される。アクチュエータロッド３３４（図３３）の底部に、２つの角度付き傾斜部３８８が位置され、これらの傾斜部３８８は、フックに類似する。角度付き傾斜部３８８は、係止部材３７２がスリーブ３２０の底部に落ちるのを防止する。各角度付き傾斜部３８８の上方に、少なくとも１つの角度付き表面、好ましくは１対の角度付き表面３９０がある。１対の角度付き表面３９０の間に、傾斜楔部分３９２がある。
【００３１】
図２８〜図３０で最も良く見られるように、係止部材３７２は、歯３９４を含み、歯３９４は、ポスト３２１にある移動止め３９０に選択的に対合可能に係合する。また、係止部材３７２は、傾斜面３９６を含み、傾斜面３９６は、傾斜楔部分３９２と対合する。係止部材３７２は、少なくとも１対、好ましくは２対の側方従動部３９８も含み、側方従動部３９８は、２対の角度付き表面３９０に解放可能に対合可能に係合する。
【００３２】
高さ調節可能メカニズム３０４は、スリーブ３２０内に摺動可能に係合される。係止位置で、高さ調節可能メカニズム３０４の係止部材３７２は、係止部材の歯３９４がスリーブ３２０のアパーチャ３３８を通って延在してポスト３２１の移動止め３５０と選択的に対合するように位置決めされる。アクチュエータロッド３６８は、係止部材３７２の上に位置決めされ、傾斜楔部分３９２が傾斜面３９６と対合可能に係合され、角度付き表面３９０が側方従動部３９８と解放可能に対合可能に係合される（図３１、図３２、および図３２Ａ）。
【００３３】
肘掛けの高さを垂直方向で調節するために、操作用部材３７０が上方向に上昇され、このとき、操作用部材３７０がばね３７４を押し縮める。ばねが縮むとき、アクチュエータロッド３６８の角度付き表面３９０は、上方向に上昇して側方従動部３９８を押し、これは歯３９４をスリーブ３２０内に後退させ、それにより、係止部材３７２を移動止め３５０との係止係合から外す（図３３および図３３Ａ）。係止部材３７２が移動止め３５０から係止解除された後、肘掛けを垂直方向で上下に調節して所望の高さにすることができる。
【００３４】
係止部材３７２を係合し直し、選択された位置で肘掛けを係止し直すためには、操作用部材３７０が解放され、それにより、アクチュエータロッド３６８の上部にあるばね３７４を解放する。ばねの解放により、傾斜楔部分３９２が摺動して、傾斜面３９６との対合可能な係合状態になる（図３４、図３４Ａ、図３５、および図３５Ａ）。傾斜楔部分３９２と傾斜面３９６とが対合可能に係合されるので、係止部材の歯３９４は、再び、アパーチャ３３８を通って延在し、ポスト３２１の移動止め３５０と選択的に対合する。
【００３５】
椅子アセンブリは、斜視図（図３６）、正面図（図３７）、第１の側面図（図３８）、第２の側面図（図３９）、背面図（図４０）、上面図（図４１）、および底面図（図４２）を含め、様々な図に示されている。背もたれアセンブリ１８の一部は、斜視図（図４３）、正面図（図４４）、側面図（図４５）、背面図（図４６）、および上面図（図４７）を含め、様々な図に示されている。調節ハンドルの実施形態は、斜視図（図４８）、側面図（図４９）、正面図（図５０）、上面図（図５１）、および底面図（図５２）を含め、様々な図に示されている。
【００３６】
上記の説明で、開示される概念から逸脱することなく、本発明の様々な構成要素および要素の代替的な組み合わせ、ならびに本発明に対する修正を行うことができることを、当業者は容易に理解されよう。そのような修正は、特許請求の範囲に文言で特に明記されない限り、添付の特許請求の範囲に含まれるものとみなすべきである。
【図１】
2018118111.tif 000003
【図２】
2018118111.tif 000004
【図３】
2018118111.tif 000005
【図４】
2018118111.tif 000006
【図５】
2018118111.tif 000007
【図６】
2018118111.tif 000008
【図７Ａ】
2018118111.tif 000009
【図７Ｂ】
2018118111.tif 000010
【図８Ａ】
2018118111.tif 000011
【図８Ｂ】
2018118111.tif 000012
【図８Ｃ】
2018118111.tif 000013
【図９Ａ】
2018118111.tif 000014
【図９Ｂ】
2018118111.tif 000015
【図９Ｃ】
2018118111.tif 000016
【図１０】
2018118111.tif 000017
【図１１Ａ】
2018118111.tif 000018
【図１１Ｂ】
2018118111.tif 000019
【図１１Ｃ】
2018118111.tif 000020
【図１１Ｄ】
2018118111.tif 000021
【図１２】
2018118111.tif 000022
【図１３Ａ】
2018118111.tif 000023
【図１３Ｂ】
2018118111.tif 000024
【図１３Ｃ】
2018118111.tif 000025
【図１４】
2018118111.tif 000026
【図１５】
2018118111.tif 000027
【図１６】
2018118111.tif 000028
【図１７】
2018118111.tif 000029
【図１８Ａ】
2018118111.tif 000030
【図１８Ｂ】
2018118111.tif 000031
【図１８Ｃ】
2018118111.tif 000032
【図１９】
2018118111.tif 000033
【図２０】
2018118111.tif 000034
【図２１】
2018118111.tif 000035
【図２２】
2018118111.tif 000036
【図２３】
2018118111.tif 000037
【図２４】
2018118111.tif 000038
【図２５】
2018118111.tif 000039
【図２６】
2018118111.tif 000040
【図２７】
2018118111.tif 000041
【図２８】
2018118111.tif 000042
【図２９】
2018118111.tif 000043
【図３０】
2018118111.tif 000044
【図３１】
2018118111.tif 000045
【図３２】
2018118111.tif 000046
【図３２Ａ】
2018118111.tif 000047
【図３３】
2018118111.tif 000048
【図３３Ａ】
2018118111.tif 000049
【図３４】
2018118111.tif 000050
【図３４Ａ】
2018118111.tif 000051
【図３５】
2018118111.tif 000052
【図３５Ａ】
2018118111.tif 000053
【図３６】
2018118111.tif 000054
【図３７】
2018118111.tif 000055
【図３８】
2018118111.tif 000056
【図３９】
2018118111.tif 000057
【図４０】
2018118111.tif 000058
【図４１】
2018118111.tif 000059
【図４２】
2018118111.tif 000060
【図４３】
2018118111.tif 000061
【図４４】
2018118111.tif 000062
【図４５】
2018118111.tif 000063
【図４６】
2018118111.tif 000064
【図４７】
2018118111.tif 000065
【図４８】
2018118111.tif 000066
【図４９】
2018118111.tif 000067
【図５０】
2018118111.tif 000068
【図５１】
2018118111.tif 000069
【図５２】
2018118111.tif 000070
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
着座した使用者の一部を支持するように適合され、第１の方向へ向かった表面を含む、支持構成要素を備える椅子構成要素アセンブリであって、
前記支持構成要素が、
外周縁部を有するシェル部材を含み、
内腔と、前記支持構成要素の表面に対して横切り、前記シェル部材の前記外周縁部に面する開口とを有する、少なくとも１つの結合機構をさらに含み、
前記少なくとも１つの結合機構の前記開口に実質的に近接して位置された少なくとも１つのタブ部材をさらに含み、
前記少なくとも１つのタブ部材は、前記支持構成要素の表面から離隔し、前記少なくとも１つの結合機構の内腔へ伸び、
椅子構成要素アセンブリがさらに、前記支持構成要素の少なくとも一部の周りに覆い被され、前記少なくとも１つの結合機構の前記開口を通じて延びる縁部を含み、前記少なくとも１つのタブ部材によって前記少なくとも１つの結合機構の前記内腔内に保定される、装飾カバーアセンブリ
を備える椅子構成要素アセンブリ。
【請求項２】
前記装飾カバーアセンブリが、可撓性のカバー部分と、前記カバー部分よりも実質的に可撓性が小さく、前記カバー部分の縁部に取り付けられた框部材とを含み、前記框部材が、前記少なくとも１つのタブによって前記少なくとも１つの結合機構の前記内腔内に保定される請求項１に記載の椅子構成要素アセンブリ。
【請求項３】
前記少なくとも１つの結合機構が、前記シェル部材と一体である請求項２に記載の椅子構成要素アセンブリ。
【請求項４】
前記少なくとも１つのタブが、前記シェル部材と一体である請求項３に記載の椅子構成要素アセンブリ。
【請求項５】
前記少なくとも１つのタブが可撓弾性である請求項４に記載の椅子構成要素アセンブリ。
【請求項６】
前記少なくとも１つの結合機構および前記少なくとも１つのタブが、前記シェル部材の周縁の周りに離隔配置された複数の結合機構およびタブを含む請求項４に記載の椅子構成要素アセンブリ。
【請求項７】
前記少なくとも１つの結合機構が、Ｃ字形の断面形状を含む請求項５に記載の椅子構成要素アセンブリ。
【請求項８】
前記少なくとも１つの結合機構が、前記シェル部材と一体である請求項１に記載の椅子構成要素アセンブリ。
【請求項９】
前記少なくとも１つのタブが、前記シェル部材と一体である請求項１に記載の椅子構成要素アセンブリ。
【請求項１０】
前記少なくとも１つのタブが、可撓弾性である請求項９に記載の椅子構成要素アセンブリ。
【請求項１１】
前記少なくとも１つの結合機構および前記少なくとも１つのタブが、前記シェル部材の周縁の周りに離隔配置された複数の結合機構およびタブを含む請求項１０に記載の椅子構成要素アセンブリ。
【請求項１２】
椅子背もたれアセンブリを備える、請求項１に記載の椅子構成要素アセンブリ
【請求項１３】
着座した使用者の一部を支持するように適合された支持構成要素を備える椅子構成要素アセンブリであって、前記支持構成要素が、チャネルと、前記チャネル内部に位置された少なくとも１つの固定具とを有するシェル部材を含み、
椅子構成要素アセンブリがさらに、前記支持構成要素の少なくとも一部の周りに覆い被され、引き紐トンネル内部に位置された引き紐を含む装飾カバーアセンブリを備え、前記引き紐が、前記支持構成要素の周りに前記装飾カバーアセンブリを引き寄せるように適合され、
前記引き紐と前記引き紐トンネルが、それぞれ前記少なくとも１つの固定具によって前記チャネル内に保定される
椅子構成要素アセンブリ。
【請求項１４】
前記チャネルと前記少なくとも１つの固定具が、前記シェル部材とそれぞれ一体である請求項１３に記載の椅子構成要素アセンブリ。
【請求項１５】
前記少なくとも１つの固定具が、間に前記引き紐および前記引き紐トンネルを固定する複数の協働する歯を含む請求項１４に記載の椅子構成要素アセンブリ。
【請求項１６】
前記椅子構成要素が、椅子座部支持体を備える請求項１５に記載の椅子構成要素アセンブリ。
【請求項１７】
前記チャネルが、下向きに開いている請求項１６に記載の椅子構成要素アセンブリ。
【請求項１８】
着座した使用者の一部を支持するように適合され、アパーチャを有するシェル部材を含む支持構成要素と、
前記支持構成要素の少なくとも一部の周りに覆い被され、引き紐トンネル内部に位置された引き紐を含む装飾カバーアセンブリとを備える椅子構成要素アセンブリであって、前記引き紐が、前記支持構成要素の周りに前記装飾カバーアセンブリを引き寄せるように適合され、前記引き紐が、少なくとも１つの自由端を含み、
椅子構成要素アセンブリがさらに、前記シェル部材の前記アパーチャに係合し、前記引き紐の前記少なくとも１つの自由端の少なくとも一部を前記アパーチャ内に固定する少なくとも１つの固定具
を備える椅子構成要素アセンブリ。
【請求項１９】
前記シェルの前記アパーチャが、チャネルを備える請求項１８に記載の椅子構成要素アセンブリ。
【請求項２０】
前記少なくとも１つの固定具が、ばねクリップを含む請求項１８に記載の椅子構成要素アセンブリ。
【請求項２１】
前記少なくとも１つの固定具が、Ｕ字形の断面形状を備える請求項２０に記載の椅子構成要素アセンブリ。
【請求項２２】
前記少なくとも１つの固定具が、１対のばねクリップを含む請求項２０に記載の椅子構成要素アセンブリ。
【請求項２３】
前記１対のばねクリップが、前記引き紐の前記少なくとも１つの自由端のうちのただ１つの自由端を固定する請求項２２に記載の椅子構成要素。
【請求項２４】
前記引き紐の前記少なくとも１つの自由端が、１対の自由端を含み、前記少なくとも１つのばねクリップが、前記１対の自由端を固定するただ１つのばねクリップを含む請求項２０に記載の椅子構成要素。
【請求項２５】
前記椅子構成要素が、椅子座部支持体を備える請求項１８に記載の椅子構成要素アセンブリ。
【請求項２６】
着座した使用者の一部を支持するように適合された支持構成要素を備える椅子構成要素アセンブリであって、前記支持構成要素が、前記支持構成要素の外周の大部分の周りに延在するチャネルと、前記チャネル内部に位置された少なくとも１つの固定具とを有するシェル部材を含み、
椅子構成要素アセンブリがさらに、前記支持構成要素の少なくとも一部の周りに覆い被され、引き紐トンネル内部に位置された引き紐を含む装飾カバーアセンブリを備え、前記引き紐が、前記支持構成要素の周りに前記装飾カバーアセンブリを引き寄せるように適合され、
少なくとも一つの前記引き紐と前記引き紐トンネルが、前記少なくとも１つの固定具によって前記チャネル内に保定される
椅子構成要素アセンブリ。